(57)【要約】【課題】信号のレベルが瞬時的に増加してしまった場合に、ベクトル調整期がこれに追従することができない為、補助増幅器８で発生した歪はそのまま増幅装置（図１の方向性結合器９）から出力されてしまうため、歪除去ループでは必要な抑圧量を得ることができず、増幅装置の性能劣化を引き起こしてしまうといった不具合があった。【解決手段】  上記課題を解決するために、入力した信号を増幅器で増幅するとともに、増幅した信号と前記入力信号とを逆相加算することにより増幅器で発生した歪成分を検出する歪検出ループと、歪検出ループから出力された増幅信号と歪成分信号とを逆相加算することにより増幅信号から歪成分を除去する歪除去ループとを備えた増幅装置において、歪成分を除去する歪除去ループの増幅器の前段に、増幅器で位相歪を生じさせる閾値以上のレベルの信号を減少させる機能を有するリミッタ回路を備えたことを特徴とする増幅装置を提供する。【選択図】  図５
2006279673.tif 000002
【特許請求の範囲】
【請求項１】
入力した信号を増幅器で増幅するとともに、増幅した信号と前記入力信号とを逆相加算することにより前記増幅器で発生した歪成分を検出する歪検出ループと、当該歪検出ループから出力された前記増幅信号と前記歪成分信号とを逆相加算することにより当該増幅信号から歪成分を除去する歪除去ループとを備えた増幅装置において、前記歪成分を除去する歪除去ループの増幅器の前段に、前記増幅器で位相歪を生じさせる閾値以上のレベルの信号を減少させる機能を有するリミッタ回路を備えたことを特徴とする増幅装置。
【発明の詳細な説明】
【技術分野】
【０００１】
本発明は、例えば移動体通信システムなどの無線通信システムに備えられる基地局装置や中継増幅装置など使用されるフィードフォワード方式歪補償増幅装置に関するものである。フィードフォワード方式歪補償増幅装置は、歪検出ループにより入力した信号を増幅器で増幅するとともに当該増幅器で発生した歪成分を検出し、増幅した信号から歪除去ループにより歪成分を除去するものである。特に、増幅器の構成を工夫することや、歪除去ループの増幅器への入力信号を制限するリミッタ回路を備えることにより、マルチトーンやピーク電力の高いレベルの信号が入力された場合であっても増幅器での位相歪を低減させる増幅装置に関する。
【０００２】
ここで、無線通信システムとしては、例えば、携帯電話システムや簡易型携帯電話システム（ＰＨＳ：Personal Handy Phone System）、それらのインフラを利用したデータ通信システムなどの種々なシステムが用いられてもよい。
【０００３】
また、通信方式としては、例えば、ＣＤＭＡ（Ｃode Division Multiple Access）方式やＷ（Wide Band）-ＣＤＭＡ方式やＴＤＭＡ(Time Division Multiple Access)方式やＦＤＭＡ(Frequency Division Multiple Access)方式などの種々な方式が用いられてもよい。
【０００４】
ここで、本発明に係る増幅装置などの構成としては、必ずしも、以上に示したものに限られず、種々な構成が用いられてもよい。なお、本発明は、例えば本発明に係る処理を実行する方法或いは方式や、このような方法や方式を実現するためのプログラムなどとして提供することも可能である。
【０００５】
また、本発明の適用分野としては、必ずしも以上に示したものに限られず、本発明は、種々な分野に適用することが可能なものである。
【背景技術】
【０００６】
信号を増幅器で増幅する増幅装置では、例えば信号を増幅器で増幅するときに発生する相互変調歪や雑音等といった歪成分を増幅信号から除去すること（歪補償）を行うために、歪検出ループや歪除去ループから成る歪補償回路を備える場合がある。図１には、このような増幅装置の一例として、歪補償回路を備えた共通増幅装置の構成例を示してある。
【０００７】
同図に示した増幅装置には、３つの方向性結合器１、５、９と、２つのベクトル調整器２、７と、主増幅器３と、２つの遅延線４、６と、補助増幅器８と、制御回路１０とが備えられており、この増幅装置では以下に示すように、例えば増幅対象となるマイクロ波帯の多周波信号（マルチトーン）を方向性結合器１から入力し、当該信号を主増幅器３で増幅等した後に方向性結合器９から出力する。尚、遅延線4,6に遅延フィルタを用いても良い。
【０００８】
方向性結合器１は、例えば１つの入力端と２つの出力端とを有しており、入力端から増幅対象となる多周波信号を入力する一方、入力した多周波信号を２つの信号に分配して、分配した各信号を各出力端からそれぞれベクトル調整器２と遅延線４へ出力する。ベクトル調整器２は、例えば後述する制御回路１０による制御に従って信号の位相を調整する機能を有しており、方向性結合器１から入力された信号の位相を調整して、当該信号を主増幅器３へ出力する。なお、位相の調整の仕方については後述する。
【０００９】
主増幅器３は、信号を増幅する増幅器から構成されており、ベクトル調整器２から入力された信号を増幅して方向性結合器５へ出力する。ここで、主増幅器３から出力される増幅信号には、例えば入力された多周波信号を増幅する際に発生した相互変調歪や雑音等といった歪成分が含まれる。遅延線４は、信号を伝送する機能を有しており、方向性結合器１から入力された信号を伝送して方向性結合器５へ出力する。
【００１０】
方向性結合器５は、例えば２つの入力端と２つの出力端とを有しており、一方の入力端には上記した主増幅器３から出力された増幅信号が入力され、他方の入力端には上記した遅延線４から出力された信号が入力される。そして、第２方向性結合器５は、前記一方の入力端から入力した増幅信号を一方の出力端から遅延線６へ出力するとともに、当該増幅信号と前記他方の入力端から入力した信号とを加算して得られる信号を他方の出力端からベクトル調整器７へ出力する。
【００１１】
ここで、方向性結合器５で加算される上記した２つの信号（すなわち、方向性結合器５に入力される２つの信号）は、上記したベクトル調整器２での位相調整等により逆相（すなわち、互いに位相が反転している状態）で加算されるように制御されており、これにより、上記した方向性結合器５の他方の出力端からは、主増幅器３で発生した増幅信号中の歪成分（歪成分信号）のみが検出されてベクトル調整器７へ出力される。上記したベクトル調整器２では、このような逆相加算が実現されるように位相の調整が行われる。
【００１２】
なお、図１に示した回路構成では、上記のように方向性結合器１と方向性結合器５との間の回路により主増幅器３で発生した増幅信号中の歪成分を検出することが行われており、こうした歪検出を行う回路により歪検出ループが構成されている。
【００１３】
遅延線６は、信号を伝送する機能を有しており、方向性結合器５から入力された増幅信号を伝送して方向性結合器９へ出力する。ベクトル調整器７は、例えば後述する制御回路１０による制御に従って信号の位相を調整する機能を有しており、方向性結合器５から入力された歪成分信号の位相を調整して、当該歪成分信号を補助増幅器８へ出力する。なお、位相の調整の仕方については後述する。
【００１４】
補助増幅器８は、信号を増幅する増幅器から構成されており、ベクトル調整器７から入力された歪成分信号を増幅して方向性結合器９へ出力する。
【００１５】
方向性結合器９は、例えば２つの入力端と１つの出力端とを有しており、一方の入力端には上記した第２遅延線６から出力された増幅信号が入力され、他方の入力端には上記した補助増幅器８から出力された歪成分信号が入力される。そして、方向性結合器９は、上記した２つの入力端から入力した増幅信号と歪成分信号とを加算して得られる信号を出力端から出力する。
【００１６】
ここで、方向性結合器９で加算される上記した２つの信号（すなわち、方向性結合器９に入力される２つの信号）は、上記したベクトル調整器７での位相調整等により逆相で加算されるように制御されており、これにより、上記した方向性結合器９の出力端からは、上記した遅延線６から入力された増幅信号中の歪成分が除去された信号が出力される。上記したベクトル調整器７では、このような逆相加算が実現されるように位相の調整が行われる。また、上記した補助増幅器８での歪成分の増幅は、例えば歪除去ループにより増幅信号中の歪成分がなるべく多く除去される程度に行われるのが好ましい。
【００１７】
なお、図１に示した回路構成では、上記のように方向性結合器５と方向性結合器９との間の回路により主増幅器３から出力された増幅信号中の歪成分を除去することが行われており、こうした歪除去を行う回路により歪除去ループが構成されている。
【００１８】
制御回路１０は、上記した２つのベクトル調整器２、７を制御する機能を有しており、例えば上記した歪検出ループや歪除去ループでの逆相加算が最適に行われるように２つのベクトル調整器２、７での位相調整値を自動的に設定する。
【００１９】
以上のように、上記図１に示した増幅装置では、歪検出ループと歪除去ループとから成る歪補償回路を備え、歪検出ループでは入力した増幅対象の信号を主増幅器３で増幅するとともに増幅した信号と前記入力信号とを逆相加算することにより主増幅器３で発生した歪成分を検出し、歪除去ループでは歪検出ループから出力された前記増幅信号と前記歪成分信号とを逆相加算することにより当該増幅信号から歪成分を除去する。このような歪検出及び歪除去を行うことにより、上記した増幅装置では、入力した信号を増幅器で増幅して出力するに際して、当該増幅器で発生する相互変調歪等を出力信号から除去することができる。
このような増幅装置は、例えば特許文献１に開示されている。
【特許文献１】特開平１１-１５４８２９号公報  （第２図）
【００２０】
なお、上記した歪検出ループや歪除去ループで２つの信号を逆相加算することにより不要な成分を抑圧（除去）する場合の抑圧量を、図２を用いて概略的に示す。同図には、上記したループの一つを概略的に示してある。すなわち、分配器（入力側の方向性結合器）１１が抑圧対象となる信号を２つの信号（例えばそれぞれ電圧Ｖ０）に分配して、分配した一方の信号を結合器（出力側の方向性結合器）１３へ出力する一方、分配した他方の信号を、位相反転回路１２を介して結合器１３へ出力し、結合器１３が入力した２つの信号を加算して出力するループを示してある。
【００２１】
ここで、例えば処理が必要とされる信号の周波数帯域におけるループの特性として、振幅偏差がｄ（デシベル：ｄＢ）であり、位相偏差がθ（度：゜）であるとすると、上記図２中に示したように、不要成分の抑圧量Ｋ（ｄＢ）は式１で示される。なお、式１中の”ｊ”は虚数部分を表している。
K(dB)=２０・LOG（｜１−１０d/20・ejθ｜）・・・・（式１）
【００２２】
また、図３には、上記式１中の”ｄ”や”θ”に種々な値を設定した場合の抑圧量Ｋをグラフで示してあり、例えば振幅偏差ｄが０．１ｄＢであり、位相偏差θが１゜である場合には約４０ｄＢの抑圧量Ｋが確保される。なお、同図のグラフでは、横軸に振幅偏差ｄを示してあり、縦軸に位相偏差θを示してある。
【発明の開示】
【発明が解決しようとする課題】
【００２３】
上記のような歪補償回路を備えた増幅装置では、例えば上記図１に示した主増幅器３に入力される信号のレベルが高くなると当該主増幅器３で位相歪が発生してしまい、この位相歪に起因して歪検出ループでの歪検出や歪除去ループでの歪除去の性能が悪くなってしまう場合があるといった不具合があった。なお、上記従来例で示したように多周波信号が増幅装置に入力される場合には、各周波数成分（各トーン）の信号の位相の重なりによって瞬時的にピーク電力が増加してしまうことがあるため、入力信号のレベルが瞬時的に高くなってしまうことが生じ、上記した不具合が特に顕著であった。
【００２４】
ここで、図４には、具体例として上記した補助増幅器８を１個の増幅器Ａ１から構成した場合における当該補助増幅器８（増幅器Ａ１）の入出力特性の一例をグラフで示してある。このグラフの横軸は補助増幅器８に入力される信号のレベル（例えば入力電力のレベル）を示し、縦軸は補助増幅器８から出力される増幅信号のレベル（例えば出力電力のレベル）及び当該増幅信号の位相を示している。また、同図中の特性Ｐ１が出力レベルの特性を示し、特性Ｑ１が出力信号の位相の特性を示している。
【００２５】
同図に示されるように、例えば補助増幅器８に瞬時的に高レベルの信号が入力され、出力レベルが飽和電力付近のレベルまで到達すると、当該補助増幅器８から出力される増幅信号の位相特性に変化を生じる位相歪が発生してしまう。そして、このような位相歪が発生すると、上記図１に示した増幅装置では、瞬時的な歪除去ループのバランスが崩れ、当該歪除去ループの抑圧量が劣化してしまうことが生じる。
【００２６】
又、ベクトル調整器では、例えば信号のレベルが瞬時的に増加してしまった場合には、これに追従することができない。その為、補助増幅器８で発生した歪はそのまま増幅装置（例えば上記図１における方向性結合器９）から出力されてしまうため、歪除去ループでは必要な抑圧量を得ることができず、増幅装置の性能劣化を引き起こしてしまうといった不具合があった。
【００２７】
本発明は、このような従来の課題を解決するためになされたもので、歪検出ループにより入力した信号を増幅器で増幅するとともに当該増幅器で発生した歪成分を検出し、増幅した信号から歪除去ループにより歪成分を除去するに際して、例えば瞬時的に高レベルの信号が、歪除去ループの増幅器に入力された場合であっても、増幅器での位相歪を低減させることができる増幅装置を提供することを目的とする。
【課題を解決するための手段】
【００２８】
本発明に係る増幅装置では、歪検出ループにより入力した信号を増幅器で増幅するとともに増幅した信号と前記入力信号とを逆相加算することにより前記増幅器で発生した歪成分を検出し、歪除去ループにより前記歪検出ループから出力された増幅信号と歪成分信号とを逆相加算することにより当該増幅信号から歪成分を除去するに際して、次のようなリミッタ回路を備えた。すなわち、前記増幅器で位相歪を生じさせる閾値以上のレベルの信号を減少させて歪除去ループに入力させるリミッタ回路を備えた。
【発明の効果】
【００２９】
従って、例えば増幅器で位相歪を生じさせてしまう程の高レベルな信号が瞬時的に入力される場合であっても、本発明では、当該信号が増幅器に入力される前に当該信号のレベルが上記したリミッタ回路により減少させられるため、増幅器での位相歪を低減させることができ、これにより、歪除去ループでの歪除去の性能劣化を防止することができる。
【発明を実施するための最良の形態】
【００３０】
本発明の実施例に係る増幅装置を、図面を参照して説明する。
【実施例１】
【００３１】
図５には、本発明の増幅装置の第一の実施形態を示してあり、この増幅装置では、例えば上記図１に示した増幅装置のベクトル調整器７の入力側（すなわち、歪補償回路を構成する歪検出ループの前段）にリミッタ回路Ｌを接続して備えた構成となっている。ここで、本例の増幅装置では上記したリミッタ回路Ｌに係る部分が本発明の要部であり、他の構成部分１〜１０については上記図１に示した構成と同様であるため、本例では、これら他の構成部分１〜１０についての説明を省略する。また、本例では、説明の便宜上から、上記図１に示した増幅装置の各構成部分１〜１０と同様な構成部分については上記図１に示した場合と同じ符号を用いて本例の増幅装置の構成等を説明している。
【００３２】
図６には、上記のようなリミッタ回路Ｌ１の一構成例を示してあり、このリミッタ回路Ｌ１には、入力側の方向性結合器２１と、リミッタ遅延線２２と、位相変化器２３と、増幅器２４と、出力側の方向性結合器２５とが備えられている。入力側方向性結合器２１は、例えば１つの入力端と２つの出力端とを有しており、入力端から増幅対象となる信号を入力する一方、入力した信号を２つの信号に分配して、例えば等分配した各信号を各出力端からそれぞれリミッタ遅延線２２と位相変化器２３へ出力する。
【００３３】
リミッタ遅延線２２は、信号を伝送する機能を有しており、入力側方向性結合器２１から入力された信号を伝送して出力側方向性結合器２５へ出力する。位相変化器２３は、例えば信号に歪を発生させることなく信号の位相を変化させる機能を有しており、入力側方向性結合器２１から入力された信号を増幅器２４へ出力するに際して、入力された信号のレベルが後述する閾値Ｚ以上の場合  には当該信号の位相を変化させる。
【００３４】
ここで、図７には、上記した位相変化器２３の入出力特性の一例をグラフで示してあり、このグラフの横軸は位相変化器２３に入力される信号のレベル（例えば入力電力のレベル）を示し、縦軸は位相変化器２３から出力される信号の利得及び当該信号の位相を示している。また、同図中の特性Ｍが出力信号の利得の特性を示しており、特性Ｎが当該出力信号の位相の特性を示している。
【００３５】
同図に示されるように、本例の位相変化器２３は、入力した信号のレベルが閾値Ｚ以上である場合に当該位相変化器２３から出力する信号の位相を変化させる特性を有しており、このような閾値Ｚとしては、例えば補助増幅器８で位相歪が発生してしまうのを防止することができるような値が用いられている。なお、この閾値Ｚについては更に後述する。
【００３６】
増幅器２４は、信号を増幅する機能を有しており、位相変化器２３から入力された信号を増幅して出力側方向性結合器２５へ出力する。なお、増幅器１４による増幅の程度については後述する。出力側方向性結合器２５は、例えば２つの入力端と１つの出力端とを有しており、一方の入力端には上記したリミッタ遅延線１２から出力された信号が入力され、他方の入力端には上記した増幅器２４から出力された信号が入力される。そして、出力側方向性結合器２５は、前記一方の入力端から入力した信号と前記他方の入力端から入力した信号とを加算して上記図５に示したベクトル調整器７の入力端へ出力する。
【００３７】
このような構成により、本例のリミッタ回路Ｌ１では、例えば上記した閾値Ｚ未満のレベルの信号が位相変化器２３に入力された場合には、リミッタ遅延線２２を介して出力側方向性結合器２５に入力される信号と、位相変化器２３及び増幅器２４を介して出力側方向性結合器２５に入力される信号とが例えば同相（すなわち、互いに位相がそろっている状態）及び同レベルで加算（合成）されて出力側方向性結合器２５から出力される。なお、本例では、このような同相及び同レベルでの加算が実現されるように上記した増幅器２４の増幅率等が設定されている。
【００３８】
一方、本例のリミッタ回路Ｌ１では、例えば上記した閾値Ｚ以上のレベルの信号が位相変化器２３に入力された場合には、当該位相変化器２３から出力される信号に位相の変化が生じるため、リミッタ遅延線２２を介して出力側方向性結合器２５に入力される信号と、位相変化器２３及び増幅器２４を介して出力側方向性結合器２５に入力される信号とが同相で加算されなくなり、このため、出力側方向性結合器２５から出力される信号のレベルが減少させられる。
【００３９】
ここで、上記したように本例の閾値Ｚとしては補助増幅器８での位相歪を防止することができる値が用いられており、更に具体的には、好ましい態様として、当該閾値Ｚ未満のレベルの信号が位相変化器２３に入力された場合にはリミッタ回路Ｌ１から、ベクトル調整器７を介して補助増幅器８へ出力される信号のレベルが当該補助増幅器８で位相歪を発生させてしまうレベルより小さくなるような値が用いられている。
【００４０】
以上のように、本例の増幅装置では、歪検出ループにより入力した信号を増幅器（主増幅器３）で増幅するとともに増幅した信号と前記入力信号とを逆相加算することにより前記増幅器（主増幅器３）で発生した歪成分を検出し、歪除去ループにより前記歪検出ループから出力された前記増幅信号と前記歪成分信号とを逆相加算することにより当該増幅信号から歪成分を除去するに際して、前記補助増幅器８で位相歪を生じさせる閾値以上のレベルの信号を減少させて補助増幅器８に入力させるリミッタ回路Ｌ１を備えたため、例えば主増幅器で発生した瞬時的に高レベルの信号が補助増幅器８に入ってきた場合でも、当該信号が補助増幅器８に入力される前に当該信号のレベルをリミッタ回路Ｌ１により減少させることができる。これにより、補助増幅器８での位相歪を低減させることができ、歪除去ループでの歪除去の性能劣化を防止して、増幅装置による歪補償の性能劣化を防ぐことができる。
【００４１】
なお、ここに言う「前記補助増幅器８で位相歪を生じさせる閾値」とは、上記した位相変化器２３に入力される信号のレベルに関する閾値Ｚのことではなく、例えばリミッタ回路Ｌ１に入力される信号のレベルに関する閾値のことを言っており、具体的に本例の場合には、位相変化器２３に上記した閾値Ｚのレベルの信号が入力される場合にリミッタ回路Ｌ１の入力側方向性結合器１１に入力されている信号のレベルのことを言っている。
【００４２】
また、具体例として本例の増幅装置では、例えばマイクロ波帯等の多周波信号が入力されるに際して、各周波数成分の位相の重なりによってピーク電力が瞬時的に増加してしまった場合であっても、上記したリミッタ回路Ｌ１により当該信号のレベルを減少させるため、補助増幅器８に入力される信号のレベルを補助増幅器８で位相歪を発生させない程度のレベルに低く抑えることができる。このため、主増幅器で発生した瞬時的に高レベルの信号が補助増幅器８に入ってきた場合でも、当該補助増幅器８での位相歪の発生を抑えて歪除去ループでの抑圧量の劣化を防止することができる。これにより、増幅装置から出力される増幅信号に瞬時的な歪劣化が発生してしまうことを防いで、増幅の品質を補償することができる。
【実施例２】
【００４３】
図９には、本発明の増幅装置の第二の実施形態を示してあり、この増幅装置では、例えば上記図１に示した増幅装置のベクトル調整器２の入力側にリミッタ回路Ｌ’を接続して備えた構成となっている。ここで、本例の増幅装置では上記したリミッタ回路Ｌ’に係る部分が本発明の要部であり、他の構成部分１〜１０については上記図１に示した構成と同様であるため、本例では、これら他の構成部分１〜１０についての説明を省略する。また、本例では、説明の便宜上から、上記図１に示した増幅装置の各構成部分１〜１０と同様な構成部分については上記図１に示した場合と同じ符号を用いて本例の増幅装置の構成等を説明している。
【００４４】
Ｌ’は、第一の実施形態と同様に図６のリミッタ回路と同様の構成を用い、さらに第一の実施形態と同様に、例えば主増幅器３で位相歪が発生してしまうのを防止することができるように閾値Ｚの代わりに閾値Ｚ’を設定している。また、他の構成も主増幅器３に合わせた構成としている。
【００４５】
歪検出ループにより入力した信号を増幅器（主増幅器３）で増幅するとともに増幅した信号と前記入力信号とを逆相加算することにより前記増幅器（主増幅器３）で発生した歪成分を検出し、歪除去ループにより前記歪検出ループから出力された前記増幅信号と前記歪成分信号とを逆相加算することにより当該増幅信号から歪成分を除去するに際して、前記主増幅器３で位相歪を生じさせる閾値以上のレベルの信号を減少させて主増幅器３に入力させるリミッタ回路Ｌ’を備えたため、例えば瞬時的に高レベルの信号が主増幅器３に入ってきた場合でも、当該信号が主増幅器３に入力される前に当該信号のレベルをリミッタ回路Ｌ’により減少させることができる。これにより、主増幅器３での位相歪を低減させることができ、増幅装置による歪補償の性能劣化を防ぐことができる。
【００４６】
なお、ここに言う「前記主増幅器３で位相歪を生じさせる閾値」とは、上記した位相変化器に入力される信号のレベルに関する閾値Ｚ’のことではなく、例えばリミッタ回路Ｌ’に入力される信号のレベルに関する閾値のことを言っており、具体的に本例の場合には、位相変化器２３に上記した閾値Ｚのレベルの信号が入力される場合にリミッタ回路Ｌ’の入力側方向性結合器に入力されている信号のレベルのことを言っている。
【００４７】
また、具体例として本例の増幅装置では、例えばマイクロ波帯等の多周波信号が入力されるに際して、各周波数成分の位相の重なりによってピーク電力が瞬時的に増加してしまった場合であっても、上記したリミッタ回路Ｌ’により当該信号のレベルを減少させるため、主増幅器３に入力される信号のレベルを主増幅器３で位相歪を発生させない程度のレベルに低く抑えることができる。このため、瞬時的に高レベルの信号が主増幅器３に入ってきた場合でも、当該主増幅器３での位相歪の発生を抑えて歪検出ループでの抑圧量の劣化を防止することができる。これにより、増幅装置から出力される増幅信号に瞬時的な歪劣化が発生してしまうことを防いで、増幅の品質を補償することができる。
【実施例３】
【００４８】
図１０には、本発明の増幅装置の第三の実施形態を示してあり、この増幅装置では、例えば上記図１に示した増幅装置のベクトル調整器２の入力側に第二の実施の形態で説明したリミッタ回路Ｌ’を、またベクトル調整器７の入力側に第一の実施の形態で説明したリミッタ回路Ｌを接続して備えた構成となっている。ここで、本例の増幅装置では上記した第一の実施の形態で説明したリミッタ回路Ｌ及び第二の実施の形態で説明したＬ’を同時に用いる部分が本発明の要部であり、他の構成部分１〜１０については上記図１に示した構成と同様であるため、本例では、これら他の構成部分１〜１０についての説明を省略する。また、本例では、説明の便宜上から、上記図１に示した増幅装置の各構成部分１〜１０と同様な構成部分については上記図１に示した場合と同じ符号を用いて本例の増幅装置の構成等を説明している。
【００４９】
これにより、歪検出ループにより入力した信号を増幅器（主増幅器３）で増幅するとともに増幅した信号と前記入力信号とを逆相加算することにより前記増幅器（主増幅器３）で発生した歪成分を検出し、歪除去ループにより前記歪検出ループから出力された前記増幅信号と前記歪成分信号とを逆相加算することにより当該増幅信号から歪成分を除去するに際して、前記主増幅器３で位相歪を生じさせる閾値以上のレベルの信号を減少させて歪除去ループに入力させるリミッタ回路Ｌ’を備えたため、例えば瞬時的に高レベルの信号が主増幅器３に入ってきた場合でも、当該信号が主増幅器３に入力される前に当該信号のレベルをリミッタ回路Ｌ’により減少させることができる。また前記補助増幅器の位相歪を生じさせる閾値以上のレベルの信号を減少させて歪除去ループに入力させるリミッタ回路Ｌを備えたため、主増幅器３により増幅された瞬時的に高レベルの信号が補助増幅器８に入ってきた場合でも、補助増幅器８での位相歪を低減させることができる。以上二つのリミッタ回路を設けることにより、より高精度に、瞬時的な信号が入力された場合の増幅装置による歪補償の性能劣化を防ぐことができる。
【００５０】
ここで、主増幅器や補助増幅器で位相歪を生じさせる閾値以上のレベルの信号を減少させるリミッタ回路Ｌ、Ｌ’の構成としては、必ずしも上記実施例で示したものに限られず、同様な効果を奏するものであれば、種々な構成が用いられてもよい。例として、図８に示すリミッタ回路Ｌ２のように、入力側方向性結合器３１と増幅器３４との間に複数の位相変化器３３ａ〜３３ｎを多段にして備えるようにすれば、１個の位相変化器を備えた場合に比べて位相変化器３３ａ〜３３ｎでの位相の変化量を大きくすることができ、これにより、リミッタの効果を急峻にすることができる。なお、同図に示した位相変化器２３ａ〜２３ｎ以外の各構成部分３１〜３２、３４〜３５については、例えば上記図６に示した各構成部分２１〜２２、２４〜２５と同様である。
【００５１】
また、上記したリミッタ回路により上記閾値以上のレベルの信号を減少させる仕方としては、主増幅器や補助増幅器での位相歪を低減させることができるようなものであれば特に限定はなく、例えば信号の電圧や電流のレベル（振幅）を減少させることにより主増幅器や補助増幅器での位相歪を低減させる態様を用いることができる。
【００５２】
また、本発明に言う「主増幅器や補助増幅器で位相歪を生じさせる閾値」としては、用いられる増幅器の特性や、リミッタ回路と当該増幅器との間に備えられた回路の構成や、要求される歪検出や歪除去の精度等に応じて適当に決定されればよく、要は、実用上で有効な程度で主増幅器や補助増幅器における位相歪の発生を防止することができればよい。
【００５３】
また、リミッタ回路により上記した閾値以上のレベルの信号を減少させる程度としては、例えば当該信号を当該閾値未満のレベルに減少させる態様を用いるのが好ましいが、必ずしもこのような態様が用いられなくともよい。例えば、高レベルの信号の全てを前記閾値未満に減少させることはできなくとも、こうした高レベル信号のレベルを実用上で有効な程度で減少させることができる態様が用いられれば、当該信号レベルの減少の程度に応じて主増幅器や補助増幅器での位相歪を小さく抑えることができる。
【００５４】
また、以上の実施例で示した本発明に係る増幅装置は、信号を増幅器で増幅することを行う種々な分野に適用されてもよく、一例として、通信対象となる多周波信号の増幅を行う無線通信システムにおける増幅装置として用いることができる。
【図面の簡単な説明】
【００５５】
【図１】従来例に係る増幅装置の構成例を示す
【図２】ループの抑圧量を説明するための図である
【図３】振幅偏差及び位相偏差に対する抑圧量を示す図である。
【図４】従来例に係る補助増幅器の特性を説明するための図である。
【図５】本発明の第一の実施例に係る増幅装置の一例を示す図である。
【図６】リミッタ回路の構成例を示す図である。
【図７】位相変化器の特性の一例を示す図である
【図８】リミッタ回路の他の構成例を示す図である。
【図９】本発明の第二の実施例に係る増幅装置の一例を示す図である。
【図１０】本発明の第三の実施例に係る増幅装置の一例を示す図である。
【符号の説明】
【００５６】
１、５、９、１１、１５、２１、２５・・方向性結合器、２、７・・ベクトル調整器、 
３・・主増幅器、４、６・・遅延線、８・・補助増幅器、 １０・・制御回路、
Ａ１、２４、３４・・増幅器、 Ｐ１・・出力レベル、Ｑ１、Ｎ・・位相、 Ｍ・・利得、
Ｌ、Ｌ’、Ｌ１、Ｌ２・・リミッタ回路、 
２２、３２・・リミッタ遅延線、
２３、３３ａ〜３３ｎ・・位相変化器、
【図１】
2006279673.tif 000003
【図２】
2006279673.tif 000004
【図３】
2006279673.tif 000005
【図４】
2006279673.tif 000006
【図５】
2006279673.tif 000007
【図６】
2006279673.tif 000008
【図７】
2006279673.tif 000009
【図８】
2006279673.tif 000010
【図９】
2006279673.tif 000011
【図１０】
2006279673.tif 000012